(57)【要約】【課題】コストおよびメンテナンスで有益なファシリティーマットおよびそれを構成するファシリティーマットベースを提供する。【解決手段】断面方形の細長い部材よりなる一直線状またはＬ字状に構成されたフレームバーと、該フレームバーに沿って接合された帯板状またはＴ字状のフレームプレートとよりなるＩ型、Ｌ型またはＴ型のマットフレームユニットを適宜組み合わせ、前記マットフレームユニットを、該マットフレームユニットの各フレームバーが外周において連続するように接合して組み合わせ構成されたマットフレームと、該マットフレームにおいて生じた空間部分に前記フレームプレートの厚さと同様の厚さを有するアンダーマットを嵌め込んだことを特徴とするファシリティーマットベースおよび外周フレームバーの内のりに密接してマットブロックを配設したファシリティーマット。【選択図】図２
2007054605.tif 000002
【特許請求の範囲】
【請求項１】
断面が方形または方形の上面外周側に所定の面取りを施した断面である細長い部材よりなる一直線状、Ｌ字状、コ字状、または一部に曲線を含む形状に構成されたフレームバーと、
該フレームバーに沿って接合された帯板状またはＴ字状のフレームプレートとよりなるＩ型、Ｌ型、コ型、Ｔ型、または一部に曲線を含む型のマットフレームユニットを適宜組み合わせ、且つ前記マットフレームユニットの各フレームバーが外周において連続するように接合して組み合わせ構成されたマットフレームと、
該マットフレームの下面に貼付された保護シートと、
前記組み合わされたマットフレームのフレームプレートにより囲まれて生じた空間部分に嵌め込まれ、且つ前記フレームプレートの厚さに保護シートの厚さを加えた厚さを有し、またその上面が該フレームプレートの上面に一致するように嵌め込まれたアンダーマットを、設けたことを特徴とするファシリティーマットベース。
【請求項２】
前記マットフレームユニットは、前記フレームバーを前記フレームプレートの外周端に、且つ該フレームバーの下面と該フレームプレートの下面が同一平面上になるように、または、フレームバーをフレームプレートの外周端上面に、且つ該フレームバーの外周面と該フレームプレートの外端面が同一平面上になるように、接合して構成されたことを特徴とする請求項１に記載のファシリティーマットベース。
【請求項３】
前記のマットフレームユニットの適宜の組み合わせが、コーナー部材としての４個のＬ型の組み合わせであることを特徴とする請求項１または２に記載のファシリティーマットベース。
【請求項４】
前記のマットフレームユニットの適宜の組み合わせが、コーナー部材としての４個のＬ型の組み合わせの、少なくとも一方向に相対向する２辺部分にＩ型を挿入組み合わせたことを特徴とする請求項１または２に記載のファシリティーマットベース。
【請求項５】
前記のマットフレームユニットの適宜の組み合わせが、コーナー部材としての４個のＬ型の組み合わせの少なくとも相対向する２辺部分にＴ型を挿入したことを特徴とする請求項１または２に記載のファシリティーマットベース。
【請求項６】
前記のマットフレームユニットの適宜の組み合わせが、内側向きに対向する２個のコ型のマットフレームユニットと、該２個のコ型のマットフレームユニットの対向する端部間を連結するようにＩ型マットフレームユニットを挿入組み合わせたことを特徴とする請求項１または２に記載のファシリティーマットベース。
【請求項７】
前記各マットフレームユニットにおけるフレームバーの連結部は、その一端部に上方に向かって凹形接合部、他端部に上方に向かって凸形接合部が設けられていることを特徴とする請求項１〜６のいずれか１項に記載のファシリティーマットベース。
【請求項８】
前記各マットフレームユニットにおけるフレームバーの連結部は、上方に向かって凹形接合部を形成されており、相互に連結されるマットフレームユニットは相互に連結して突き合わされた前記フレームバーの相互の凹形接合部を、別途の連結バーにより螺子係合されることを特徴とする請求項１〜６のいずれか１項に記載のファシリティーマットベース。
【請求項９】
前記マットフレームユニットの組み合わせにより構成された外形状が方形であることを特徴とする請求項１〜８のいずれか１項に記載のファシリティーマットベース。
【請求項１０】
前記マットフレームユニットの組み合わせにより構成された外形状が非方形形状であることを特徴とする請求項１〜８のいずれか１項に記載のファシリティーマットベース。
【請求項１１】
前記各マットフレームユニットの材料が、ステンレス鋼材、アルミ合金材またはエンジニアリング・プラスチックであることを特徴とする請求項１〜１０のいずれか１項に記載のファシリティーマットベース。
【請求項１２】
前記請求項１〜１１のいずれか１項に記載のファシリティーマットベースと、該ファシリティーマットベースの組み合わせ連結されたフレームバーの内法の全面に複数のマットブロックが密接して敷き詰められたことを特徴とするファシリティーマット。
【請求項１３】
前記請求項１〜１１のいずれか１項に記載のファシリティーマットベースと、該ファシリティーマットベースの組み合わせ連結されたフレームバーの内法の全面に、所定の複数のマットブロックを密接集合して１群としたマットブロックセットを敷き占めた、ファシリティマットユニットを縦、横に複数連結して構成さしたことを特徴とするファシリティーマット
【請求項１４】
前記請求項１〜１１のいずれか１項に記載のファシリティーマットベースと、該ファシリティーマットベースの組み合わせ連結されたフレームバーの内法の全面に、所定の複数のマットブロックを密接集合して１群としたマットブロックセットの複数を、目地バーを目地として介して、敷き詰めたことを特徴とするファシリティーマット。
【請求項１５】
前記複数のマットブロックの少なくとも１枚が、ロゴマーク入りのマットブロック、または点字ブロックであることを特徴とする請求項１２または１３に記載のファシリティーマット。
【発明の詳細な説明】
【技術分野】
【０００１】
本発明は、ビルの入り口等に敷くためのファシリティーマットおよびそれを構成するファシリティーマットベースに関するものである。  
【背景技術】
【０００２】
従来から、ビルの入り口等に靴拭き用のマットが敷かれている。これは、外部において靴に付着した汚れや雨水等がビル内へ持ち込まれないようにするためのものである。近年のビルの構造は、従来に較べ広い入り口とそれに連なる広いロビーを設ける傾向が強く、それに伴いこれらの靴拭きマットもビル内の環境に沿った色々な工夫が試みられている。特に大きなマットに替わり小面積のマットを組み合わせ使用する工夫が見受けられる。（例えば、特許文献１参照）
しかしマット敷きの面積が大きくなればなる程、その設置やメインテナンスが困難となり、そのための労力や経費が嵩み、これらに対する対策が強くもとめられている。
【特許文献１】意匠公報第５７４４４７号公報
【発明の開示】
【発明が解決しようとする課題】
【０００３】
本発明は上記に鑑み、ビル等の広域のフロアーに敷かれる、しかも設置やメインテナンスが容易なファシリティーマットベースおよびそれを用いたファシリティーマットを提供することをその目的としている。
【課題を解決するための手段】
【０００４】
本発明のファシリティーマットベースは、
１）断面が方型または方型の上面外周側に所定の面取りを施した断面である細長い部材よりなる一直線状、Ｌ字状、コ字状、または一部に曲線を含む形状に構成されたフレームバーと、
該フレームバーに沿って接合された帯板状またはＴ字状のフレームプレートとよりなるＩ型、Ｌ型、コ型、Ｔ型、または一部に曲線を含む型のマットフレームユニットを適宜組み合わせ、且つ前記マットフレームユニットの各フレームバーが外周において連続するように接合して組み合わせ構成されたマットフレームと、
該マットフレームの下面に貼付された保護シートと、
前記組み合わされたマットフレームのフレームプレートにより生じた空間部分に嵌め込まれ、且つ前記フレームプレートの厚さに保護シートの厚さを加えた厚さを有し、またその上面が該フレームプレートの上面に一致するように嵌め込まれたアンダーマットを、設けたものである。
【０００５】
２）また、上述１）において、前記マットフレームユニットを、前記フレームバーを前記フレームプレートの外周端に、且つ該フレームバーの下面と該フレームプレートの下面が同一平面上になるように、またはフレームバーをフレームプレートの外周端上面に、且つ該フレームバーの外周面と該フレームプレートの外端面が同一平面上になるように、接合して構成したものであり、
３）さらに、上述１）または２）において、前記のマットフレームユニットの適宜の組み合わせを、コーナー部材としての４個のＬ型の組み合わせとしたものであり、
４）上述の１）または２）において、前記のマットフレームユニットの適宜の組み合わせを、コーナー部材としての４個のＬ型の組み合わせの、少なくとも一方向に相対向する２辺部分にＩ型を挿入組み合わせたものであり、
５）上述の１）または２）において、前記のマットフレームユニットの適宜の組み合わせを、コーナー部材としての４個のＬ型の組み合わせの少なくとも相対向する２辺部分にＴ型を挿入したものであり、
６）上述の１）または２）において、前記のマットフレームユニットの適宜の組み合わせを、内側向きに対向する２個のコ型のマットフレームユニットと、該２個のコ型のマットフレームユニットの対向する端部間を連結するようにＩ型マットフレームユニットを挿入組み合わせたものである。
【０００６】
また、本発明のファシリティーマットベースは、
７）上述の１）〜６）において、前記各マットフレームユニットにおけるフレームバーの連結部は、その一端部に上方に向かって凹型接合部、他端部に上方に向かって凸型接合部を設けたものであり、
８）上述の１）〜６）において、前記各マットフレームユニットにおけるフレームバーの連結部は、上方に向かって凹型の接合部を型成されており、相互に連結されるマットフレームユニットは突き合わされた前記フレームバーの連結部である相互の凹型の接合部を連結バーにより螺子係合したものである。
【０００７】
９）さらに、上述の１）〜８）における、前記マットフレームユニットの組み合わせにより構成された外形状を方形としたものであり、
１０）上述の１）〜８）における、前記マットフレームユニットの組み合わせにより構成された外形状を非方形形状としたものであり、
１１）上述の１）〜８）における、前記各マットフレームユニットの材料を、ステンレス鋼材、アルミ合金材またはエンジニアリング・プラスチックとしたものである。
【０００８】
また、本発明のファシリティーマットは、
１２）上述の１）〜１１）のいずれか１項に記載のファシリティーマットベースと、該ファシリティーマットベースの組み合わせ連結されたフレームバーの内法の全面に複数のマットブロックが敷き詰めたものであり、
１３）上述の１）〜１１）いずれか１項に記載のファシリティーマットベースと、該ファシリティーマットベースの組み合わせ連結されたフレームバーの内法の全面に、所定の複数のマットブロックを密接集合して１群としたマットブロックセットを敷き占めた、ファシリティマットユニットを、さらに縦、横に複数連結して構成さしたものであり、
１４）上述の１）〜１１）のいずれか１項に記載のファシリティーマットベースと、該ファシリティーマットベースの組み合わせ連結されたフレームバーの内法の全面に、所定の複数のマットブロックを密接集合して１群としたマットブロックセットの複数を、目地バーを目地として介して敷き詰めたものであり、
１５）上述の１２）または１４）における、前記複数のマットブロックの少なくとも１枚を、ロゴマーク入りのマットブロック、または点字ブロックとしたものである。
【０００９】
上述のごとく、本発明のファシリティーマット（ｆａｃｉｌｉｔｙ  ｍａｔ  至便性のある設備マットの意）は、基本的にマットベース、それに敷き詰められるマットブロック、マットベースの裏面に貼付されフロアーへの傷付け防止や摩擦補助のための保護シートよりなる。
また、前記マットベースは、その周辺に位置するフレームバーとフレームプレートよりなるマットフレームと、該フレームプレートにて囲まれた内底面の空間に嵌め込まれるアンダーマットより構成されている。  
【００１０】
本発明のファシリティーマットベースおよびそれを用いたファシリティーマットは、主として比較的広域のロビー等の場所において使用される。Ｌ型、Ｉ型、コ型およびＴ型のマットフレームユニットの組み合わせによりマット面積を比較的自由に選択することができ、また軽量で、接合が簡易で取り扱い容易なマットフレームユニットとマットブロックの組み合わせにより、新設、交換のメインテナンスを極めて容易に、且つ安価に行うことができることを特徴としている。基本的には、各マットフレームユニット間の接合は、フレームバーの接合端同士または連結バーを用いてネジ接合により行われ、またフレームプレート間の接合は、取り外し自在の粘着テープにより接合される。
【発明の効果】
【００１１】
本発明のファシリティーマットベースおよびそれを用いたファシリティーマットにより、比較的広域のロビー等の部分的区域に適用でき、部分的な取り替え、洗浄が容易にでき常にメインテナンスの行き届いたフロアーマットを、総合的に安価に提供することができる。
【発明を実施するための最良の形態】
【００１２】
［実施の形態１］
図１は、本発明の実施の形態１における、ファシリティーマットの１例を示す説明図である。
図４は、実施形態１における、Ｌ型マットフレームユニットＡの説明図であり、（ａ）は平面視、（ｂ）は側面視の説明図である。
図７は、Ｌ型マットフレームユニットＡの連結接合部分の拡大説明図であり、（ａ）は凸部接合端、（ｂ）は凹部接合端の部分断面説明図である。
図において、１はファシリティーマット、ＡはＬ型マットフレームユニット、１０はマットブロック、１１はフレームバー、１２はフレームプレート、１３はアンダーマット、１１１は凸部接合端、１１２は凹部接合端、１１３は止めネジ用バカ孔、１１４は止めネジ用タップ孔である。
なお、図１、４において各部の寸法は誇張表示されており、また図１においては、連結用止めネジの表示は省略されている。（以下の図面においても同様）
【００１３】
本実施の形態１は、４個のＬ型マットフレームユニットＡを組み合わせ接合してマットフレームを構成し、該マットフレームの空間底部にアンダーマット１３を挿入し、該マットフレームのフレームバーの内法部に４個のマットブロック１０を密着嵌挿して構成されたファシリティーマット１である。
４個のマットフレームユニットＡは、相隣るマットフレームユニットＡのフレームバー１１の凸部接合端１１１および凹部接合端１１２を組み合わせ、図４に示される止めネジ用バカ孔１１３および止めネジ用タップ孔１１４を合わせ、止めネジにより連結固定する。
４個のマットフレームユニットＡ間相互の連結方法は、上記の止めネジによる方法の外、溶接、接着等により行うこともできる。
なお、マットフレームユニットＡにおける、フレームバー１１とフレームプレート１２の接合は、使用状態に適する強固な接合を期待できるものであれば溶接、接着等如何なる方法でも良いが、溶接により接合するのがより好ましい。
【００１４】
前記連結結合された４個のマットフレームユニットＡの空間部にアンダーマット１３を嵌挿する。該アンダーマット１３は、その厚さが前記マットフレームユニットＡのフレームプレート１２の厚さと略同一であり、材料としては弾性材料であることが好ましく、コスト的に塩化ビニールシート材がより好ましい。
また、アンダーマット１３は、１枚シート構成でも複数枚を組み合わせた構成でも良い。
以上、前記４個のＬ型マットフレームユニットＡの連結結合体と、その空間部に嵌挿される前記アンダーマット１３とにより、本実施の形態１におけるファシリティーマットベースが構成される。
【００１５】
前記のごとく、図１においてはファシリティーマットベースのフレームバー１１の内法部に４個のマットブロック１０を密着嵌挿してファシリティーマット１が構成される。  該マットブロック１０は、従来から一般的に使用されているブロックベースからループパイル状等の植毛を立ち上げた定形のタイルマットを複数密着嵌挿して使用する。複数のマットブロック１０の模様、色彩の配列デザインは、ファシリティーマット１が敷かれるロビー等とのマッチングを考慮して配列される。
また、前記定形については、５００ｍｍ×５００ｍｍ角のマットブロック１０が、取扱い性上から好ましい。
。  植毛の形態については除塵性、吸水性、耐久性等用途に応じ、材料および植毛形状が適宜選択される。
また、前記複数のマットブロック１０の少なくとも１枚をロゴマークにより模様付けされたものを使用することもできる。また、複数のマットブロック１０に点字ブロックが配設されたものを使用し、盲人の方への利便をはかることもできる。
【００１６】
［実施の形態２］
図２は、本実施の形態２における、ファシリティーマットの１例を示す説明図である。
図６は、本実施の形態２における、ファシリティーマットに使用されるＴ型マットフレームの１例を示す説明図であり、（ａ）は平面視、（ｂ）は側面視の説明図である。
図において、２は本実施の形態２のファシリティーマット、ＢはＴ型マットフレームユニット、３１はＴ型マットフレームのフレームバー、３２はＴ型マットフレームのフレームプレート、３２１はＴ型マットフレームのフレームプレートの横部材、３２２はＴ型マットフレームのフレームプレートの縦部材、３１１はＴ型マットフレームの凸部接合端、３１２はＴ型マットフレームの凹部接合端、３１３は止めネジ用バカ孔、３１４は止めネジ用タップ孔である。
なお、図１と同じ部材、部分については、同一の符号を付し、これらの説明を省略する。また、図面における寸法は任意寸法にて記載されている。
【００１７】
本実施の形態２のファシリティーマット２は、前記実施の形態１の、４個のＬ型マットフレームユニットＡにおける対向する辺のＬ型マットフレームユニットＡ間に、少なくとも１個のＴ型マットフレームユニットＢを配設したものである。
また、Ｌ型マットフレームユニットＡ間にＴ型マットフレームユニットＢを複数直列に配設することにより、比較的細長い帯状のファシリティーマット２を構成することができる。この場合、直列する複数のＴ型マットフレームユニットＢの対向する一部をＩ型マットフレームユニットＣに置き換えることもできる。
Ｔ型マットフレームユニットＢを挿入することにより、Ｉ型マットフレームユニットＣを用いて帯状としたものに比較して形状が安定する。
【００１８】
本実施の形態２において、対向して配列されたＴ型マットフレームユニットＢのフレームプレートの縦部材３２２の長さは、Ｌ型マットフレームユニットＡのフレームプレート１２の内法の長さに同等とする。
なお、本実施の形態２における、Ｌ型マットフレームユニットＡとＴ型マットフレームユニットＢ間、Ｔ型マットフレームユニットＢとＴ型マットフレームユニットＢとの間の各接合方法、およびアンダーマット１３、マットブロック１０の配設方法、材料等は上述の実施の形態１の場合に準ずるため、これらの説明を省略する。なお、図面における寸法は任意寸法にて記載されている。
【００１９】
［実施の形態３］
図３は本実施の形態３における、ファシリティーマットベース３の１例を示す説明図であり、（ａ）は平面視、（ｂ）はＸ−Ｘ’矢視側面視説明図である。
図５は、本実施の形態３における、Ｉ型マットフレームの１例を示す説明図であり、（ａ）は平面視、（ｂ）は側面視の説明図である。
図において、ＣはＩ型マットフレームユニット、２１はＩ型マットフレームのフレームバー、２２はＩ型マットフレームのフレームプレート、２１１はＩ型マットフレームの凸部接合端、２１２はＩ型マットフレームの凹部接合端、２１３は止めネジ用バカ孔、２１４は止めネジ用タップ孔である。
なお、図１、図２と同じ部材、部分については、同一の符号を付し、これらの説明を省略する。また、図面における寸法は任意寸法にて記載されている。
【００２０】
本実施の形態３は、前記実施の形態１の、４個のＬ型マットフレームユニットＡにおける対向する縦および横の辺のＬ型マットフレームユニットＡ間に、少なくとも１個以上のＩ型マットフレームユニットＣを配設したものである。
これにより、広い面積に適用し得るファシリティーマット用のファシリティーマットベース３を構成することができる。図３においては、各辺１個のＩ型マットフレームユニットＣを挿入した場合を示しているが、挿入されるＩ型マットフレームユニットＣの数を変えることにより、それに比例した任意の面積を有する正方形または矩形のファシリティーマットを提供することができる。
【００２１】
なお、本実施の形態２における、Ｌ型マットフレームユニットＡとＴ型マットフレームユニットＢ間、Ｔ型マットフレームユニットＢとＴ型マットフレームユニットＢとの間の各接合方法、およびアンダーマット１３、マットブロック１０の配設方法、材料等は上述の実施の形態１の場合に準ずるため、これらの説明を省略する。
【００２２】
［実施の形態４］
上述の実施の形態１、２および３は、基本的にファシリティーマットの形状が、方形形状すなわち正方形または矩形の場合であり、従って、それを構成する、ファシリティーマットベース、アンダーマット、およびマットブロックは方形形状をもって構成されている。
本実施の形態４のファシリティーマットは、上述の方形形状のファシリティーマットに対して、非方形形状のファシリティーマットである。
図８は、菱形のファシリティーマットの場合であり、図９は、ファシリティーマット内に柱などをよけた、中央部に円形空間部を備えたものであり、また、図１０は、方形の周辺の一部を曲線（図では円弧状）により切欠いた形状にて配設されたものである。
本発明は、特許請求の範囲に記載の基本的構成、すなわちフレームバーとフレームプレートより構成されたＬ型、Ｔ型またはＩ型のマットフレームユニットを組み合わせマットフレームとし、該マットフレームとアンダーマットを組み合わせたファシリティーマットベースにマットブロックを密着嵌挿して構成されるファシリティーマットを構成するものであれば良く、非方形の形状としても図８、図９、図１０のものにより限定されるものではない。
【００２３】
［実施の形態５］
図１１は、本実施の形態５のファシリティーマットベースの平面説明図である。図１１ａは基本的に２個のコ型マットフレームユニットを使用し、その間を対向してＩ型マットフレームユニットで連結した場合であり、図１１ｂは対向してＴ型マットフレームユニットにより連結した場合を示す。
図において、Ｄはコ型のマットフレームユニット、４１はコ型のマットフレームユニットの長辺のフレームバー、４１１は短辺のフレームバー、４２はコ型のマットフレームユニットの長辺のフレームプレート、４２１は短辺のフレームプレート、４３はコ型のマットフレームユニットにおける連結部である。なお、図２、３における図１の相当部材には同一の符号を付し説明は省略する。また、図面における寸法は任意寸法にて記載されている。
【００２４】
本実施の形態５は、基本的に２個のコ型マットフレームユニットＤ、それも比較的両短辺部が短いものを使用するところに特徴がある。
即ち、上記実施の形態１乃至３における、フロアマットの出入り口側に配置される辺（この場合仮に上辺とする）はその連結部が比較的上辺の中央部または中央部近傍に配置されることになり、外観的にあまり好ましくはない。また比較的通行人の通行の激しい出入り口中央部分に連結部が位置されていると、通行人は、この前記連結部を踏む可能性が非常に高く、またメインテナンス面、安全面からしても、この部分に連結部が存在しない方が好ましい。
【００２５】
本実施の形態５の短辺の比較的短いコ型のマットフレームユニットＤを使用することにより、Ｉ型マットフレームユニットＣまたはＴ型マットフレームユニットＢとの連結部４３の位置はフロアーマットの端部近傍に位置することになり、外観的にも、メインテナンス面、安全面からも好ましいものとなる。
また、短辺の比較的短いコ型マットフレームユニットＤは、Ｌ型マットフレームユニットに較べて屈曲した辺の長さが短いため、マットフレームユニット運搬時の取り扱いが容易となり、且つ変形も少ない。
【００２６】
［実施の形態６］
図１２は、本実施の形態６における各マットフレームユニット間の連結部における連結状態を示す説明図である。図１３ａは断面参考図、図１３ｂは平面参考図である。
図において、５は連結部材、６は連結用螺子である。  なお、図面における寸法は任意寸法にて記載されている。
図に明らかなように、本実施の形態６におけるマットフレームユニットの連結部は、前述の図３〜図７における連結部が一方が上方に向かって凹型接合部、それに組み合わされる連結部が上方に向かって凸型接合部、即ち下側に凹型、の段付きとなっている形式（以下、凹／凸形式という）に対して、連結端部がいずれも上方に向かって凹型となる段付き端部を有する形式（以下、凹／凹形式という）としたところに特徴がある。
【００２７】
本実施の形態６では、凹／凹形式の連結部を有するマットフレームユニットを突き合わせ、該連結部に上方から別途の連結部材５を挿入し、螺子６により両連結接合部を係合する。従って、連結接合部２３、４３には連結部材５に合わせて、予め螺子６用の螺子孔が設けられている。螺子６は、螺子頭部の高さの低いものであればいずれにても良いが、皿小ネジが好ましい。
また、連結のための螺子本数は４本程度が、メインテナンス、安全の面で好ましい。
【００２８】
［実施の形態７］
図１３は、マットフレームユニットの構造を示す断面参考図であり、図１３ａは、フレームバー底面がフレームプレート上面に当接された場合、図１３ａはフレームバーの内面側下部にフレームプレート端部が当接された場合を示す。
なお、１３はアンダーマット、１４は保護シートである。なお、図面における寸法は任意寸法にて記載されている。
保護シート１４は、マットフレームユニットの底面のアンダーマット１３の下面を除いた面に両面接着テープ等により貼付される。この保護シート１４の貼付の目的は、マットフレーム底面がロビーの大理石や木製のフロアー面に直接接することによる傷や剥離の発生を防止するためのものであり、従って、保護シートとしては、薄くて貼付し易い軟質材質のものを使用する。厚さ０．１〜０．５ｍｍ程度の軟質塩化ビニールシートなどが好ましい。  
この厚さは、厚過ぎると、取り扱いが難しくなり、また、マットフレームユニットの高さが意に反し高くなってしまう。また、薄過ぎるとフロアマットとフロア面間に入り込んだダストを保護シート厚さ内に取り込むことができず、フロアにそれによるスクラッチ等を生じる可能性がある。
【００２９】
図１３ｂの場合は、フレームバー底面をフレームプレート上面に当接させているため、マットフレームユニットの高さが高くなり、安全面から好ましい方向ではない。
これに対し図１３ａでは、フレームバーの内面側下部にフレームプレート端部が当接されており、図１３ｂの場合に較べ、マットフレームユニットの高さ（厚さ）がフレームプレート分の厚み分セーブすることができ、安全面からもより好ましい。
【００３０】
また、フレームバーの断面は、方形または方形の上面外周側に所定の面取りを施した断面であり、この所定の面取りは、角部のエッジによる履き物への切れや剥離のトラブルを防止し、また歩行者のつまずきによるトラブルを防止するものである。所定の面取りの大きさは、可能な限り大きい方がよいが、前述の連結部材５における皿小ネジの頭部の大きさに干渉しない範囲であることが必要である。概ね０．５〜１ｍｍ程度が好ましい。
【００３１】
［実施の形態８］
図１４は本実施の形態８における、ファシリティーマット７の１例を示す平面参考図である。図１４においては連結部の詳細、連結のための螺子の表示は省略されている。
本図１４では複数のフレームユニットを組み合わせた大形のファシリティーマットベースのフレームバー内法部に多数のマットブロック１０を密着して配列した大形で単一のファシリティマットユニット７１である。なお、図１４においては単一のファシリティマットユニット７１のフレームバー部分は太線にて表示されており、各連結接合部の詳細表示はは省略されている。因みに、図１４では５００ｍｍ×５００ｍｍ×９．５（厚さ）ｍｍのマットブロック１０を縦方向１２枚、横方向１８枚を密着配列した状態を示す。なお、フレームユニットはＬ型４個（長さ３０００ｍｍ×２０００ｍｍ）とＩ型４個（長さ３０００ｍｍ、および２０００ｍｍのもの各２個）により構成されている。ファシリティマット全体としては、約縦６０００ｍｍ×横９０００ｍｍの寸法となる。  なお、図面における寸法は任意寸法にて記載されている。
【００３２】
［実施の形態９］
図１５は本実施の形態９における、他のファシリティーマット８の１例を示す平面参考図である。  本図１５では複数のフレームユニットを組み合わせたファシリティーマットベースのフレームバーの内法部に多数のマットブロック１０を密着配列してなるマットブロックセットを内挿したファシリティマットユニット８１を、縦横複数を連結してなるファシリティマット８を示すものである。なお、図１５においては各ファシリティマットユニット８１のフレームバー部分は太線にて表示されており、各連結接合部の詳細表示は省略されている。
因みに、図１５では５００ｍｍ×５００ｍｍ×９．５（厚さ）ｍｍのマットブロック１０を縦方向４枚、横方向６枚を密着配列したファシリティマットユニットを、縦に３個横方向に３個計９個を連結した状態を示す。なお、フレームユニットはＬ型４個（長さ３０００ｍｍ×２０００ｍｍ）とＩ型４個（長さ３０００ｍｍ、および２０００ｍｍのもの各２個）により構成されている。  ファシリティマット全体としては、縦６０２４ｍｍ×横９０２４ｍｍ（但しフレームバーの幅６ｍｍおよび３ｍｍ）の寸法となる。
なお、図面における寸法は任意寸法にて記載されている。
実施の形態８に較べ、外観的には区画された印象を与えるが、各ファシリティマットユニット毎の、独立したメインテナンスが可能となる。
【００３３】
［実施の形態１０］
図１６は本実施の形態１０における、ファシリティーマット８の１例を示す平面参考図である。
本実施の形態１０は基本的には、実施の形態８における大形のファシリティーマットベースのフレームバー内法部に密着して配列された多数のマットブロック１０を、適当数のマットブロックセットに分割し、各マットブロックセット間に目地としての目地バーを嵌挿したものである。
従って基本的には前記実施の形態９に類似した構成ではあるが、実施の形態９における内法側に位置するフレームバーに較べて、各マットブロックセット間に嵌挿される目地バーの目的、即ち各マットブロックセット間の温度差や経時変化等による伸縮を分断する目的を満足する寸法、強度を有するものであればよい。
図１６にみられるように、本実施の形態１０では５００ｍｍ×５００ｍｍのマットブロックを１０〜１２枚程度配接されたマットブロックセット、すなわち長さ約５〜６ｍ毎に目地バーを配設するものであり、歩行者や荷物移動によるマットブロックの片寄りを防止する。
目地の挿入は上記のマットブロックの片寄りの防止目的以外にも、外観意匠上から積極的に適宜位置に目地を挿入することもできる。
なお、目地バーはフレームバーと同様なものを用いてもよい。また各目地バーはその位置が全体のファシリティマットユニットの内法内で固定されていることが必要である。
各接する目地バー間が接着、雁木組み等により固定されていれば、目地バーは必ずしも外周のフレームバーと接着、固定されている必要はない。
【実施例】
【００３４】
［実施例１］
ロビー用ファシリティーマット
１）ファシリティーマットベース：                       （単位  ｍｍ）
全面積  約３０２０×２０２０（矩形形状）
マットフレームユニット；  Ｌ型マットフレームユニット  ４個
Ｉ型マットフレームユニット  ２個
フレームバー；断面寸法  ６×６
フレームプレート；約２５００×幅２５０×厚さ１．５
材料；ステンレススチール
アンダーマット；  約２５００×１５００×厚さ１．５
材料  軟質塩化ビニール
２）マットブロック：
タイルマット（アウトハ−ドマット）（Ｋ社製）
５００×５００×９．５（ループパイル高さ７）
【００３５】
上述のロビーにおいて、各マットフレームユニットを各凹凸部接合端において、ステンレスＭ３止めネジ×２により連結固定し、該連結固定されたマットフレームユニットの空間部に上記アンダーマットを挿入しファシリティーマットベースを構成した。
また、マットベース内にマットブロック２４枚（６枚×４枚）を密着嵌挿しファシリティーマットを完成した。
上記ファシリティーマットをロビーにおいて、通常常設マットとして６ヶ月試用した。
【００３６】
上記ファシリティーマットベースは、従来のものに較べて各フレームユニットの形状がコンパクト、軽量であり、搬送および設置の取り扱いが容易で、設置工数が大幅に軽減できた。（フレームユニットの製造コストも材料費、工数とも低減されている。）
６ヶ月試用の結果、マットとしての使用状態は従来のロビー用マットと全く遜色がなく、メインテナンスが容易になったことにより、従来のロビー用マットよりきめ細かいメインテナンスが可能となることが確認された。
なお、本実施例は、ロビー用ファシリティーマットとしての１実施例を示すものであり、特許請求の範囲に記載であれば、本発明は本実施例の構成、仕様に限定されるものではない。
【００３７】
［実施例２］
ロビー用大形ファシリティーマット
１）ファシリティーマットベース：                       （単位  ｍｍ）
全面積  約９０００×６０００（矩形形状）
マットフレームユニット；  Ｌ型マットフレームユニット
（長さ３０００×２０００）    ４個
Ｉ型マットフレームユニット  
（長さ３０００および２０００）各２個
連結接合方式：凹／凹方式
フレームバー；断面寸法  ６×６（外面取り１ｃ）
フレームプレート；幅２５０×厚さ１．５
材料；ステンレススチール
（突き合わせ方式：図１４（ａ）による）
保護シート；  厚さ０．５軟質塩化ビニールシート   
アンダーマット；  厚さ２．０  材料  軟質塩化ビニール
連結部材；  長さ６０×幅６×高さ３（Ｍ３皿小ネジバカ孔×４）
２）マットブロック：
タイルマット（アウトハ−ドマット）（Ｋ社製）
５００×５００×９．５（ループパイル高さ７）
【００３８】
上述のロビーにおいて、各マットフレームユニットの各凹／凹接合部を上述の連結部材を用いて、ステンレスＭ３皿小ネジ×４により連結固定し、該連結固定されたマットフレームユニットの空間部に上記アンダーマットを挿入し大形ファシリティーマットベースを構成した。
また、マットベース内にマットブロック２１６枚（縦１２枚×横１８枚）を密着嵌挿し大形ファシリティーマットを完成した。
上記大形ファシリティーマットをロビーにおいて、通常常設マットとして６ヶ月試用し使用後の状態を観察した。
【００３９】
上記ファシリティーマットは、従来のものに較べて各フレームユニットの連結接合が容易であり、設置工数が大幅に軽減できた。
６ヶ月試用の結果、マットとしての使用状態は従来のロビー用マットと全く遜色がなく、メインテナンスが容易になったことにより、従来のロビー用マットよりきめ細かいメインテナンスが可能となることが確認された。
なお、本実施例は、ロビー用ファシリティーマットとしての１実施例を示すものであり、特許請求の範囲に記載であれば、本発明は本実施例の構成、仕様に限定されるものではない。
【産業上の利用可能性】
【００４０】
上述の実施の形態および本発明のファシリティーマットベースおよびファシリティーマットは、ビルのロビー等ばかりでなく、公共施設の広面積用や商業施設の出入口部分等の広範な用途に使用することが可能である。
【図面の簡単な説明】
【００４１】
【図１】本発明の実施の形態１における、ファシリティーマットの１例を示す説明図である。
【図２】実施の形態２における、ファシリティーマットの１例を示す説明図である。
【図３】実施の形態３における、ファシリティーマットベース３の１例を示す説明図であり、（ａ）は平面視、（ｂ）はＸ−Ｘ’矢視側面視説明図である。
【図４】実施形態１における、Ｌ型マットフレームユニットＡの説明図であり、（ａ）は平面視、（ｂ）は側面視の説明図である。
【図５】実施の形態３における、Ｉ型マットフレームの１例を示す説明図であり、（ａ）は平面視、（ｂ）は側面視の説明図である。
【図６】実施の形態２における、ファシリティーマットに使用されるＴ型マットフレームの１例を示す説明図であり、（ａ）は平面視、（ｂ）は側面視の説明図である。
【図７】Ｌ型マットフレームユニットＡの連結接合部分の拡大説明図であり、（ａ）は凸部接合端、（ｂ）は凹部接合端の部分断面説明図である。
【図８】菱形の非方形形状のファシリティーマットを示す。
【図９】中央部に円形空間部を備えた非方形形状のファシリティーマットを示す。
【図１０】方形の周辺の一部を円弧状に切欠いた備えた非方形形状のファシリティーマットを示す。
【図１１】実施の形態５のファシリティーマットベースの平面説明図である。
【図１２】実施の形態６における各マットフレームユニット間の連結部における連結状態を示す説明図である。
【図１３】マットフレームユニットの構造を示す断面参考図である。
【図１４】実施の形態８における、ファシリティーマットの１例を示す平面参考図である。
【図１５】実施の形態９における、ファシリティーマットの１例を示す平面参考図である。
【図１６】実施の形態１０における、ファシリティーマットの１例を示す平面参考図である。
【符号の説明】
【００４２】
１  ファシリティーマット
２  実施の形態２のファシリティーマット
Ａ  Ｌ型マットフレームユニット
Ｂ  Ｔ型マットフレームユニット
Ｃ  Ｉ型マットフレームユニット
Ｄ  コ型マットフレームユニット
１０  マットブロック
１１  フレームバー
１２  フレームプレート
１３  アンダーマット
１４  フレームプレート
１５  目地
１１１  凸部接合端
１１２  凹部接合端
１１３  止めネジ用バカ孔
１１４  止めネジ用タップ孔
１１５  面取り
２１  Ｉ型マットフレームのフレームバー
２２  Ｉ型マットフレームのフレームプレート
２１１  Ｉ型マットフレームの凸部接合端
２１２  Ｉ型マットフレームの凹部接合端
２１３  止めネジ用バカ孔
２１４  止めネジ用タップ孔
３１  Ｔ型マットフレームのフレームバー
３２  Ｔ型マットフレームのフレームプレート
３１１  Ｔ型マットフレームの凸部接合端
３１２  Ｔ型マットフレームの凹部接合端
３１３  止めネジ用バカ孔
３１４  止めネジ用タップ孔
３２１  Ｔ型マットフレームのフレームプレートの横部材
３２２  Ｔ型マットフレームのフレームプレートの縦部材
４１  コ型マットフレームのフレームバー
４２  コ型マットフレームのフレームプレート
４３  コ型マットフレームの連結部
４１１  コ型マットフレームのフレームバーの横部材
４２１  コ型マットフレームのフレームプレートの横部材
５  連結部材
６  連結用ネジ
７  実施の形態８におけるファシリティマット
７１  実施の形態８におけるファシリティマットユニット
８  実施の形態９におけるファシリティマット
８１  実施の形態９におけるファシリティマットユニット
９０  円弧状切欠き部
【図１】
2007054605.tif 000003
【図２】
2007054605.tif 000004
【図３】
2007054605.tif 000005
【図４】
2007054605.tif 000006
【図５】
2007054605.tif 000007
【図６】
2007054605.tif 000008
【図７】
2007054605.tif 000009
【図８】
2007054605.tif 000010
【図９】
2007054605.tif 000011
【図１０】
2007054605.tif 000012
【図１１】
2007054605.tif 000013
【図１２】
2007054605.tif 000014
【図１３】
2007054605.tif 000015
【図１４】
2007054605.tif 000016
【図１５】
2007054605.tif 000017
【図１６】
2007054605.tif 000018